(57)【要約】【課題】  従来、静止する液状物の周りで磁石を往復運動させるようにした磁気処理装置があるが、往復運動は、加速、停止、反転のパターンを繰り返すため、磁石を高速で移動させることが難しい。【解決手段】  上面が開口する筒状の容器室４と、その容器室４の外側に隙間５を置いて配置され当該容器室４を間に挟んでＮ極とＳ極を対向させるようにした一対の磁石体３ａ，３ｂと、前記容器室４の周りで旋回可能なように前記磁石体３ａ，３ｂを支持する回転支持体６と、前記回転支持体６を回転させて磁石体３ａ，３ｂを旋回させるモーター７とを有し、容器１０に入った液状物を容器１０ごと前記容器室４に収容し、その状態で磁石体３ａ，３ｂを旋回させるようにした液状物の磁気処理装置１を提供する。【選択図】        図１
2006305478.tif 000002
【特許請求の範囲】
【請求項１】
少なくとも上面が開口する筒状の容器室と、
その容器室の外側に隙間を置いて配置され当該容器室を間に挟んでＮ極とＳ極を対向させるようにした少なくとも一対の磁石体と、
前記容器室の周りで旋回可能なように前記磁石体を支持する回転支持体と、
前記回転支持体を回転させて磁石体を旋回させる駆動手段と、を有し、
容器に入った液状物を容器ごと前記容器室に収容し、その状態で磁石体を旋回させるようにした液状物の磁気処理装置。
【請求項２】
少なくとも上面が開口する筒状の容器室と、
その容器室の外側に隙間を置いて配置され当該容器室を間に挟んでＮ極とＳ極を対向させるようにした少なくとも一対の磁石体と、
前記容器室の周りで旋回可能なように前記磁石体を支持する回転支持体と、
前記回転支持体の内側又は外側であって回転支持体の軸心から等距離の位置に並べて配設した複数の電磁石と、を有し、
容器に入った液状物を容器ごと前記容器室に収容すると共にその状態で電磁石の磁力を前記磁石体に作用させて回転支持体を旋回させるようにした液状物の磁気処理装置。
【発明の詳細な説明】
【技術分野】
【０００１】
本発明は、化粧水、育毛剤、飲料水等の液状物に磁力を作用させるようにした磁気処理装置に関する。
【背景技術】
【０００２】
水に強力な磁力を作用させて水質を変える方法が従来より知られている（特許文献１参照）。
また、本出願人は、筒状の容器に入れた水道水を四枚の永久磁石（一枚当たり１２６００ガウス）で四方を囲った状態にして１０分間放置し、その水道水を霧吹きで噴霧した場合のマイナスイオンの発生量を測定して変化を調べた。その結果、何もしない水道水に比べてマイナスイオンの発生量が１０倍に増加することを確認した。
【０００３】
このような磁力と水の関係を応用し、上面が開口する筒状の容器室と、その容器室を間に挟んでＮ極とＳ極を対向させるようにした一対の磁石とを備え、この磁石を容器室の長さ方向に往復移動させるようにした液状物の磁気処理装置が開発されている（特許文献２参照）。
【特許文献１】特許第３４６９５４１号公報
【特許文献２】特開平１１−１９６４９号公報
【発明の開示】
【発明が解決しようとする課題】
【０００４】
磁力の作用で液状物の性質を変えるには、磁石を静止させて液状物を流すか、或は静止する液状物の周りで磁石を動かすようにして磁界と液状物に相対的な運動を与えるとよい。そのため特許文献２に記載の磁気処理装置は、静止する液状物の周りで磁石を往復移動させるようにしているのであるが、往復運動は、始動、加速、減速、停止、反転始動、加速、減速、停止のパターンを繰り返すため、磁石を高速で移動させることが難しく、また、運動方向を反転させる機構や制御が複雑になるためコストが高く、しかも故障しやすい等の問題があった。
【課題を解決するための手段】
【０００５】
少なくとも上面が開口する筒状の容器室と、その容器室の外側に隙間を置いて配置され当該容器室を間に挟んでＮ極とＳ極を対向させるようにした少なくとも一対の磁石体と、前記容器室の周りで旋回可能なように前記磁石体を支持する回転支持体と、前記回転支持体を回転させて磁石体を旋回させる駆動手段と、を有し、容器に入った液状物を容器ごと前記容器室に収容し、その状態で磁石体を旋回させるようにした液状物の磁気処理装置を提供する。
【０００６】
また、請求項２に記載したように、少なくとも上面が開口する筒状の容器室と、その容器室の外側に隙間を置いて配置され当該容器室を間に挟んでＮ極とＳ極を対向させるようにした少なくとも一対の磁石体と、前記容器室の周りで旋回可能なように前記磁石体を支持する回転支持体と、前記回転支持体の内側又は外側であって回転支持体の軸心から等距離の位置に並べて配設した複数の電磁石と、を有し、容器に入った液状物を容器ごと前記容器室に収容すると共にその状態で電磁石の磁力を前記磁石体に作用させて回転支持体を旋回させるようにした液状物の磁気処理装置を提供する。
【発明の効果】
【０００７】
静止する液状物の周りで少なくとも一対の磁石体を旋回させると、液状物と磁界の間に相対的な運動が生じる。回転運動は加速後、高速のまま維持することが容易であるため、液状物と磁界の間の前記相対運動の高速化が可能である。また、回転機構は往復運動機構に比べて複雑な機構や制御を要しないため低コストであり、しかも故障し難い等の効果がある。
【０００８】
また、請求項２のように、電磁石の磁力を磁石体に作用させて回転支持体を旋回させるようにすれば、回転支持体を回転させるためのモータが不要であるためコストが削減でき、しかもモータを組み込むスペースが不要になるため装置のコンパクト化が可能である。
【発明を実施するための最良の形態】
【０００９】
以下に本発明の実施の形態を図面を参照しつつ説明する。なお、図１は縦断面図、図２は横断面図、図３は分解斜視図である。
【００１０】
本発明の磁気処理装置１は、円筒形の胴部２ａの上下を天板２ｂと底板２ｃで塞いだ合成樹脂製のケース体２と、そのケース体２に内蔵した一対の磁石体３ａ，３ｂで概略構成される。
前記ケース体２の天板２ｂは中央に開口２ｄを設けたドーナツ板形状であり、その開口２ｄからケース体２の内部に向かって有底円筒状の容器室４が一体に設けられている。
【００１１】
一方、前記磁石体３ａ，３ｂは縦長角材形態の永久磁石であり、容器室４の外側に適度な隙間５を置いて配置され当該容器室４を間に挟んでＮ極とＳ極が対向するようになっている。この磁石体３ａ，３ｂは、カップ状の回転支持体６、すなわち円筒状の回転胴部６ａと、その回転胴部６ａの底面を覆う回転底板６ｂでカップ状にした回転支持体６で支持されている。この回転支持体６は前記ケース体２の底板２ｃ中央に固着した駆動手段たるモーター７の回転軸７ａに直結されていて回転自在である。
【００１２】
その他、図１，３中、符号８は磁石体３ａ，３ｂの回転中に点滅する装飾用の発光体、符号９は容器室４の底部に設置した容器検知用のセンサーである。
【００１３】
次に上記実施形態の磁気処理装置１の使用方法を液状物たる化粧水を例示して説明する。先ず、ガラス、陶磁器、合成樹脂等の容器１０に入った化粧水を図１二点鎖線のように容器室４の中に収容する。そうすると容器室４のセンサー９が容器１０を検知し、モーター７を回転させる。これにより回転支持体６が回転するから磁石体３ａ，３ｂが容器室４の周りで旋回する。そして始動から一定時間（例えば５分間）の経過を待ってモーター７を停止させる。なお、ケース体２には図示しないがモーター７の上記作動を制御する制御基板（駆動手段の制御基板）が内蔵されている。
【００１４】
しかして静止する化粧水の周りで一対の磁石体３ａ，３ｂを高速で旋回させると、磁石体３ａ，３ｂの磁界と化粧水の間に相対的な運動が生じるから、磁石による化粧水の磁気処理を促進させることができる。なお、実施形態では回転支持体６を磁性材料（例えば鉄）で形成して磁力が外部に漏れないようにしてある。
【００１５】
以下に本発明の次なる実施形態を図面を参照しつつ説明する。なお、図４は縦断面図、図５は横断面図、図６は分解斜視図である。
【００１６】
この磁気処理装置１は、円筒形の胴部２ａの上下を天板２ｂと底板２ｃで塞いだ合成樹脂製のケース体２と、そのケース体２に内蔵した一対の磁石体３ａ，３ｂで概略構成される。
前記ケース体２の天板２ｂは中央に開口２ｄを設けたドーナツ板形状であり、その開口２ｄからケース体の内部に向かって有底円筒状の容器室４が一体に設けられている。
【００１７】
一方、前記磁石体３ａ，３ｂは縦長角材形態の永久磁石であり、容器室４の外側に適度な隙間５を置いて配置され当該容器室４を間に挟んでＮ極とＳ極が対向するようになっている。この磁石体３ａ，３ｂは、カップ状の回転支持体６、すなわち円筒状の回転胴部６ａと、その回転胴部６ａの底面を覆う回転底板６ｂでカップ状にした回転支持体６で支持されている。この回転支持体６は前記ケース体２の底板２ｃ中央に固着した軸受１１に取り付けられていて回転自在である。
【００１８】
前記容器室４の外周面には回転支持体６の磁石体３ａ，３ｂと対向するように二つの電磁石１２ａ，１２ｂが配設されている。この電磁石１２ａ，１２ｂはコイルをループ状に巻いたものであり、電流の向きを制御することにより磁石体３ａ，３ｂとの対向面にＮ極とＳ極が交互に出現するようになっている。
【００１９】
その他、図４，６中、符号８は磁石体３ａ，３ｂの回転を表示する装飾用の発光体、符号９は容器室４の底部に設置した容器検知用のセンサーである。
【００２０】
次に上記実施形態の磁気処理装置１の使用方法を液状物たる化粧水を例示して説明する。先ず、ガラス、陶磁器、合成樹脂等の容器１０に入った化粧水を図４二点鎖線のように容器室４の中に収容する。そうすると容器室４のセンサー９が容器１０を検知し、電磁石１２ａ，１２ｂに通電して対向する磁石体３ａ，３ｂに同極による反発力を作用させる。これにより回転支持体６が回転し、以後ブラシレスモーターのごとくに電磁石１２ａ，１２ｂのＮ極とＳ極を交互に制御すれば、回転支持体６の回転が持続する。これにより回転支持体６と一体の磁石体３ａ，３ｂが容器室４の周りで旋回する。そして始動から一定時間（例えば５分間）の経過を待って電磁石１２ａ，１２ｂへの通電を止め、回転支持体６を停止させる。なお、ケース体２には図示しないが電磁石１２ａ，１２ｂの上記作動を制御する制御基板が内蔵されている。
【００２１】
しかして静止する化粧水の周りで一対の磁石体３ａ，３ｂを高速で旋回させると、磁石体３ａ，３ｂの磁界と化粧水の間に相対的な運動が生じるから、磁石による化粧水の磁気処理を促進させることができる。なお、実施形態では回転支持体６を磁性材料（例えば鉄）で形成することにより磁力が外部に漏れないようにしてある。
【００２２】
以上、本発明を実施の形態について説明したが、もちろん本発明は上記実施形態に限定されるものではない。例えば、実施形態では容器室４に容器１０を入れると自動的に磁石体３ａ，３ｂが旋回するように設定したが、ケース体２に手動スイッチ（図示せず）を設けて磁石体３ａ，３ｂの始動を手動入力で行わせるようにしてもよい。
また、実施形態では容器室４に容器１０を入れる度に一定時間磁気処理を行うようになっているが、一回の磁気処理の効果は数日間持続するため、例えば三回に一回の割合で磁気処理が行われるようにプログラムしてもよい。この場合、化粧水の使用が毎朝一回であれば三日に一回の割合で磁気処理が行われることになる。また、前記制御基板にタイマー回路を設けて時間を計測し、例えば三日〜五日に一回の割合で磁気処理が行われるようにプログラムしてもよい。
【００２３】
また、実施形態では容器室４の上から容器１０を収めて磁気処理するようにしたが、容器室４の中にすっぽりと入り込むような小さい容器１０Ｓの場合には図７に示したように磁気処理装置１を逆さにして磁気処理することもできる。なお、この場合には手動入力により磁石体３ａ，３ｂを始動させる必要がある。
また、実施形態では容器室４を有底筒状に形成したが、図８に示したように容器室４の底を無くして完全な筒状にしてもよい。この場合、回転支持体６は、回転胴部６ａとケース体２の間に介装したベアリング１３，１３で回転自在に支持される。また、前記センサー９に相当する部品は、図示しないが容器室４の周壁に設けてある。この実施形態の磁気処理装置１は、横に寝かせて細長い容器の中間に取り付けたり、或は瓶の細くなった頭部に首輪状に取り付ける、というように使用形態の多様化が可能である。
【００２４】
また、実施形態では磁石体３ａ，３ｂを一対だけ使用したが、例えば図９に示したように磁石体３ａ，３ｂに磁石体３ｃ，３ｄを加えて二対にしてもよい。この場合、電磁石１２ａ，１２ｂに第三の電磁石１２ｃを加えて１２０度間隔にすれば回転支持体６の回転を円滑にすることができる。
また、実施形態では電磁石１２ａ，１２ｂを容器室４の外周に設けて回転支持体６の内側に並べるようにしたが、図１０のように電磁石１２ａ，１２ｂをケース体２の胴部２ａ内面に装着して回転支持体６の外側に並べるようにしてもよい。この場合には電磁石１２ａ，１２ｂのコイルの熱がケース体２の外部に逃げやすくなるため、容器室４の昇温防止に効果がある。なおこの実施形態の構成、すなわち電磁石１２ａ，１２ｂをケース体２の胴部２ａ内面に装着する構成を、図８に示した実施形態に適用する場合は、ベアリング１３，１３を容器室４と回転支持体６の間に介装すればよい。
また、実施形態では液状物として化粧水を例示したが、水や育毛剤などの液状物の磁気処理に利用できる。
【図面の簡単な説明】
【００２５】
【図１】縦断面図である。
【図２】横断面図である。
【図３】分解斜視図である。
【図４】縦断面図である。
【図５】横断面図である。
【図６】分解斜視図である。
【図７】逆さにした縦断面図である。
【図８】縦断面図である。
【図９】横断面図である。
【図１０】横断面図である。
【符号の説明】
【００２６】
１  …磁気処理装置
３ａ，３ｂ，３ｃ，３ｄ  …磁石体
４  …容器室
５  …隙間
６  …回転支持体
７  …モーター（駆動手段）
１０…容器
１２ａ，１２ｂ，１２ｃ  …電磁石
【図１】
2006305478.tif 000003
【図２】
2006305478.tif 000004
【図３】
2006305478.tif 000005
【図４】
2006305478.tif 000006
【図５】
2006305478.tif 000007
【図６】
2006305478.tif 000008
【図７】
2006305478.tif 000009
【図８】
2006305478.tif 000010
【図９】
2006305478.tif 000011
【図１０】
2006305478.tif 000012